(57)【要約】      （修正有）【課題】短時間に汚濁水を浄化することで、環境問題の解決に寄与する水質環境改善装置を提供する。【解決手段】水質環境改善装置であって、電子発生器Ｘと、汚濁水Ｗ１が貯留された浄化槽Ｔと、アース線とを有し、電子発生器Ｘの放射端ＥＢを、汚濁水Ｗ１が貯留された浄化槽Ｔに浸漬し、汚濁水Ｗ１が貯留された浄化槽Ｔにアース線を浸漬して、電子放射端ＥＢから電子を放出させて汚濁水Ｗ１を浄化することを特徴とする。【選択図】図２
0003198854.tif 000002
【実用新案登録請求の範囲】
【請求項１】
電子発生器の放射端を、汚濁水が貯留された浄化槽に浸漬し、他端をアースとするアース線を接続して、電子放射端から電子を放出させて汚濁水を浄化することを特徴とする汚濁水の浄化方法。
【考案の詳細な説明】
【考案の詳細な説明】
【技術分野】
【０００１】    本考案は、電子を放射する電子放射装置の技術に関するものである。
【背景技術】
【０００２】    環境問題においては、各種の工場から廃棄排出される汚濁水が問題となっている。汚濁水は、そのまま川や海へ排水したり、下水として排水したりせずに、微生物による浄化処理を施すことで環境汚染の抑止が図られている。しかし、微生物による浄化は時間を要するので、汚濁水の発生量が浄化できる能力を超えてしまうと浄化槽を拡大したり、増設したりしないといけなくなってしまう。従って、環境保全の観点からも短時間に汚濁水の浄化ができる技術が望まれている。
【考案の概要】
【考案が解決しようとする課題】
【０００３】    本考案は、高効率で短時間に汚濁水を浄化したりすることで、環境問題の解決に寄与する電子放射装置及びそれを用いた汚濁水の浄化方法を提供することを目的とする。
【課題を解決するための手段】
【０００４】    本考案の電子放射装置の構成によれば、高効率で短時間に汚濁水を浄化したりすることで、環境問題の解決に寄与することができる。
【実施例１】
【０００５】    食品工場における汚濁水の浄化試験を図２に示す構成で行った。汚水タンクに貯蔵された汚水に電子を放射し、反対側の汚水から地球にアースを設置する構成で行った。
電子は、汚水を通過して地球のアースに流れるような構成で設置した。
【実施例２】
【０００６】    食品工場から排水される汚濁水を、電子放射装置を動作させる前の状態と、２日間動作させた後の状態とで計量検査を行った。なお、浄化槽には、３５０キロリットル／日の汚濁水が食品工場から排水される。
電子放射装置Ｘを２日間動作させる前の状態と２日間動作させた後の状態とで計量検査を行った。なお、浄化槽には３５０キロリットル／日の汚濁水が食品工場から排水される。電子放射装置を２日間動作させることで、大腸菌群数が３１００個／ｍ３から１３０個／ｍ３に減少していることがわかる。微生物では、大腸菌群数はここまで減少させるには多大な時間を要するが、電子放射装置を作動させることで、２日間で減少させることができる。従って、電子放射装置は、殺菌効果があり汚濁水を短時間に浄化することができる。【０００７】
【表１】
0003198854.tif 000003
【実施例３】
【０００８】    小川から汲み上げた水を電子放射装置Ｘを用いて浄化試験を行った。
試験方法について図１に基ずいて説明する。試験方法は、図１（Ａ）〜同図（Ｃ）に示すように汲み上げた水Ｗ２を容器９へ貯留し、図１（Ａ）に示すように放射端ＥＢを汲み上げた水Ｗ２の中に浸漬し、水に大地アース線ＧＮＤを浸漬させて接地した方法Ｃの場合との三通りで大腸菌群数の測定を行った。また、比較のために小川から汲み上げた水Ｗ２の大腸菌群数の測定も行った。【０００９】
【表２】
0003198854.tif 000004
表２からもわかるように、図１（Ｃ）に示す方法Ｃでは、当初含まれていた大腸菌群数７９００が、２まで劇的に減少した。これは放射端ＥＢから放射される電子によって大腸菌が殺菌されたことを示している。しかし、大地アース線ＧＮＤを配線しない方法Ａでは、反対に大腸菌の増殖が見られる。この理由は不明であるが、電子が水中に大量に滞留することが大腸菌に対して増殖環境を提供していることは明らかである。水中における電子の流れが大腸菌を殺菌することから、電子放射装置Ｘが殺菌装置として機能していることがわかる。
【考案を実施するための形態】
【００１０】本考案は、電子を放射することで水を殺菌して浄化したりすることができるので、汚水を排水する工場だけでなく、各家庭での使用も可能である。又、難民キャンプやアフリカ東南アジアなどの溝水を飲料水としている僻地での使用も可能である。
【符号の説明】  ２    電源コード
Ｘ    電子放射装置
１    装置本体
３    電子放射部
Ｗ２  汲み上げた水
Ｗ１  汚濁水
ＥＢ  放射端
９    容器
Ｔ    浄化槽
0003198854.tif 000005
【手続補正書】
【提出日】平成27年4月20日(2015.4.20)
【手続補正１】
【補正対象書類名】実用新案登録請求の範囲
【補正対象項目名】全文
【補正方法】変更
【補正の内容】
【実用新案登録請求の範囲】
【請求項１】
水質環境改善装置であって、電子発生器と、汚濁水が貯留された浄化槽と、アース線とを有し、電子発生器の放射端を、汚濁水が貯留された浄化槽に浸漬し、汚濁水が貯留された浄化槽にアース線を浸漬して、電子放射端から電子を放出させて汚濁水を浄化することを特徴とする水質環境改善装置。
【手続補正２】
【補正対象書類名】明細書
【補正対象項目名】全文
【補正方法】変更
【補正の内容】
【考案の詳細な説明】
【考案の詳細な説明】
【技術分野】
【０００１】    本考案は、電子を放射する電子放射装置の技術に関するものである。
【背景技術】
【０００２】    環境問題においては、各種の工場から廃棄排出される汚濁水が問題となっている。汚濁水は、そのまま川や海へ排水したり、下水として排水したりせずに、微生物による浄化処理を施すことで環境汚染の抑止が図られている。しかし、微生物による浄化は時間を要するので、汚濁水の発生量が浄化できる能力を超えてしまうと浄化槽を拡大したり、増設したりしないといけなくなってしまう。従って、環境保全の観点からも短時間に汚濁水の浄化ができる技術が望まれている。
【考案の概要】
【考案が解決しようとする課題】
【０００３】    本考案は、高効率で短時間に汚濁水を浄化したりすることで、環境問題の解決に寄与する電子放射装置及びそれを用いた汚濁水の浄化方法を提供することを目的とする。
【課題を解決するための手段】
【０００４】    本考案の電子放射装置の構成によれば、高効率で短時間に汚濁水を浄化したりすることで、環境問題の解決に寄与することができる。
【実施例１】
【０００５】    食品工場における汚濁水の浄化試験を図２に示す構成で行った。汚水タンクに貯蔵された汚水に電子を放射し、反対側の汚水から地球にアースを設置する構成で行った。
電子は、汚水を通過して地球のアースに流れるような構成で設置した。
【実施例２】
【０００６】    食品工場から排水される汚濁水を、図２のように電子放射装置を動作させる前の状態と、２日間動作させた後の状態とで計量検査を行った。なお、浄化槽には、３５０キロリットル／日の汚濁水が食品工場から排水される。
電子放射装置Ｘを２日間動作させる前の状態と２日間動作させた後の状態とで計量検査を行った。なお、浄化槽には３５０キロリットル／日の汚濁水が食品工場から排水される。電子放射装置を２日間動作させることで、大腸菌群数が３１００個／ｍ３から１３０個／ｍ３に減少していることがわかる。微生物では、大腸菌群数はここまで減少させるには多大な時間を要するが、電子放射装置を作動させることで、２日間で減少させることができる。従って、電子放射装置は、殺菌効果があり汚濁水を短時間に浄化することができる。【０００７】
【表１】
0003198854.tif 000006
【実施例３】
【０００８】    小川から汲み上げた水を電子放射装置Ｘを用いて浄化試験を行った。
試験方法について図１に基ずいて説明する。試験方法は、図１（Ａ）〜同図（Ｃ）に示すように汲み上げた水Ｗ２を容器９へ貯留し、図１（Ａ）に示すように放射端ＥＢを汲み上げた水Ｗ２の中に浸漬し、水に大地アース線ＧＮＤを浸漬させて接地した方法Ｃの場合との三通りで大腸菌群数の測定を行った。また、比較のために小川から汲み上げた水Ｗ２の大腸菌群数の測定も行った。【０００９】
【表２】
0003198854.tif 000007
表２からもわかるように、図１（Ｃ）に示す方法Ｃでは、当初含まれていた大腸菌群数７９００が、２まで劇的に減少した。これは放射端ＥＢから放射される電子によって大腸菌が殺菌されたことを示している。しかし、大地アース線ＧＮＤを配線しない方法Ａでは、反対に大腸菌の増殖が見られる。この理由は不明であるが、電子が水中に大量に滞留することが大腸菌に対して増殖環境を提供していることは明らかである。水中における電子の流れが大腸菌を殺菌することから、電子放射装置Ｘが殺菌装置として機能していることがわかる。【００１０】本考案は、電子を放射することで水を殺菌して浄化したりすることができるので、汚水を排水する工場だけでなく、各家庭での使用も可能である。又、難民キャンプやアフリカ東南アジアなどの溝水を飲料水としている僻地での使用も可能である。
【図面の簡単な説明】
【００１１】
【図１Ａ】大地にアースを取らない汚濁水の水槽に、電子放射装置の電子放射端を浸漬した図である。
【図１Ｂ】大地にアースを取らず、汚濁水の入った水槽に、電子放射端を空気中から汚水槽に向け、電子を放射する図である。
【図１Ｃ】大地にアースを取った汚濁水の水槽に、電子放射端を浸漬した図である。
【図２】汚水浄化槽に大地のアース線と、電子放射装置の放射端とを浸漬した図である。
【符号の説明】
【００１２】  ２    電源コード
Ｘ    電子放射装置
１    装置本体
３    電子放射部
Ｗ２  汲み上げた水
Ｗ１  汚濁水
ＥＢ  放射端
９    水槽容器
Ｔ    浄化槽
【手続補正３】
【補正対象書類名】図面
【補正対象項目名】全図
【補正方法】変更
【補正の内容】
【図１】
0003198854.tif 000008
【図２】
0003198854.tif 000009